(57)【要約】【課題】本発明は、回路基板に取り付ける際に給電端子がベースから抜けにくいレンズ駆動装置及びそれを搭載したカメラ装置、電子機器を提供する。【解決手段】本発明によるレンズ駆動装置１は、ベース１０と、レンズ支持体２１と、レンズ支持体２１を光軸方向に駆動させる駆動機構とを備えたレンズ駆動装置１であって、ベース１０には、外部の回路基板に取り付けられて駆動機構に給電するために用いられる給電端子１２が一体化されて設けられており、給電端子１２には、ベース１０との接触部分の少なくとも一部に抜け防止部が形成されている。【選択図】図１
2019105831.tif 000002
【特許請求の範囲】
【請求項１】
ベースと、レンズ支持体と、前記レンズ支持体を光軸方向に駆動させる駆動機構とを備えたレンズ駆動装置であって、
前記ベースには、外部の回路基板に取り付けられて前記駆動機構に給電するために用いられる給電端子が一体化されて設けられており、
前記給電端子には、前記ベースとの接触部分の少なくとも一部に抜け防止部が形成されている、
ことを特徴とするレンズ駆動装置。
【請求項２】
前記給電端子は、前記光軸方向の後方から前方に伸びる垂直部と、前記垂直部の前端から光軸と直交する方向に延びて前記ベースの前表面から露出する水平部と、を有し、前記垂直部は前記ベースから露出して前記回路基板に取り付けられる外部接続部と、前記ベースの内部にあって前記ベースと接触している内部構造部と、を有し、前記抜け防止部は前記内部構造部に設けられた前を向いた面である、ことを特徴とする請求項１に記載のレンズ駆動装置。
【請求項３】
前記前を向いた面は、前記給電端子の前記垂直部の一部を切除して形成された側凹溝に設けられている、ことを特徴とする請求項２に記載のレンズ駆動装置。
【請求項４】
前記前を向いた面は、前記給電端子の前記垂直部から突出して形成された凸起に設けられている、ことを特徴とする請求項２に記載のレンズ駆動装置。
【請求項５】
前記前を向いた面は、前記給電端子の前記垂直部を貫通して形成された貫通孔に設けられている、ことを特徴とする請求項２に記載のレンズ駆動装置。
【請求項６】
前記前を向いた面は、前記給電端子の前記垂直部の後方から伸びる第一輪郭線が内側に伸びるように向きを変えた第二輪郭線に沿って形成された、ことを特徴とする請求項２に記載のレンズ駆動装置。
【請求項７】
前記給電端子は、前記光軸方向の後方から前方に伸びる垂直部と、前記垂直部の前端から光軸と直交する方向に延びて前記ベースの前表面から露出する水平部と、を有し、前記水平部は、前記垂直部とは接続していない部分から斜め後方に伸びて前記ベースと接触している傾斜部を有し、前記抜け防止部は前記傾斜部に設けられた前を向いた面である、ことを特徴とする請求項１に記載のレンズ駆動装置。
【請求項８】
請求項１〜７のいずれか一項に記載のレンズ駆動装置を備えたカメラ装置。
【請求項９】
請求項８記載のカメラ装置を備えた電子機器。
【発明の詳細な説明】
【技術分野】
【０００１】
本発明は、レンズ駆動装置及びカメラ装置、これら装置を搭載した電子機器に関する。
【背景技術】
【０００２】
現在のレンズ駆動装置は、通常、ベースと、レンズ支持体を光軸方向へ移動自在に駆動する駆動機構を含む焦点調整ユニットと、焦点調整ユニットを内包した状態でベースと組み合わせて筐体を形成するハウジングとを備えている。このレンズ駆動装置を、ベースに設けられた給電端子を介して電源に接続された回路基板に取り付けることで、焦点調整ユニットの駆動機構に給電し、焦点調整を行う。
【０００３】
例えば、図７に示すように、特許文献１には、ベース１００の前側の表面に、前部がベース１００と一体成型された二つの端子１０２が設けられた構成が開示されている。
【先行技術文献】
【特許文献】
【０００４】
【特許文献１】ＣＮ１０４９１４５４７Ａ
【発明の概要】
【発明が解決しようとする課題】
【０００５】
しかしながら、従来の上記のようなレンズ駆動装置を回路基板に取り付ける際、筐体を掴んで回路基板に取り付けるが、当接して動かない給電端子１０２に対してベース１００が前側から後側の回路基板に向けて押されることにより、給電端子１０２がレンズ駆動装置の内部でベース１００から抜けてしまう場合があった。
【０００６】
以上の問題点に鑑みて、本発明は、回路基板に取り付ける際に給電端子がベースから抜けにくいレンズ駆動装置、カメラ装置、及び電子機器を提供することを目的とする。
【課題を解決するための手段】
【０００７】
上記目的を達成するために、本発明によるレンズ駆動装置は、ベースと、レンズ支持体と、前記レンズ支持体を光軸方向に駆動させる駆動機構とを備えたレンズ駆動装置であって、前記ベースには、外部の回路基板に取り付けられて前記駆動機構に給電するために用いられる給電端子が一体化されて設けられており、前記給電端子には、前記ベースとの接触部分の少なくとも一部に抜け防止部が形成されている。
【０００８】
好ましくは、前記給電端子は、前記光軸方向の後方から前方に伸びる垂直部と、前記垂直部の前端から光軸と直交する方向に延びて前記ベースの前表面から露出する水平部と、を有し、前記垂直部は前記ベースから露出して前記回路基板に取り付けられる外部接続部と、前記ベースの内部にあって前記ベースと接触している内部構造部と、を有し、前記抜け防止部は前記内部構造部に設けられた前を向いた面である。
【０００９】
好ましくは、前記前を向いた面は、前記給電端子の前記垂直部の一部を切除して形成された側凹溝に設けられている。
【００１０】
好ましくは、前記前を向いた面は、前記給電端子の前記垂直部から突出して形成された凸起に設けられている。
【００１１】
好ましくは、前記前を向いた面は、前記給電端子の前記垂直部を貫通して形成された貫通孔に設けられている。
【００１２】
好ましくは、前記前を向いた面は、前記給電端子の前記垂直部の後方から伸びる第一輪郭線が内側に伸びるように向きを変えた第二輪郭線に沿って形成されている。
【００１３】
また、好ましくは、前記給電端子は、前記光軸方向の後方から前方に伸びる垂直部と、前記垂直部の前端から光軸と直交する方向に延びて前記ベースの前表面から露出する水平部と、を有し、前記水平部は、前記垂直部とは接続していない部分から斜め後方に伸びて前記ベースと接触している傾斜部を有し、前記抜け防止部は前記傾斜部に設けられた前を向いた面である。
【００１４】
また、上記目的を達成するために、本発明は、以上に説明した構成を有するレンズ駆動装置を備えたカメラ装置及び電子機器を提供する。
【発明の効果】
【００１５】
本発明によれば、ベースと一体化された給電端子のベースとの接触部分の少なくとも一部に抜け防止部が形成されているので、給電端子の抜けが発生しにくい。
【図面の簡単な説明】
【００１６】
【図１】本発明の実施形態における給電端子とベースが一体化された構成を示すベースが透明化された斜視図である。
【図２】本発明の実施形態におけるレンズ駆動装置の分解構成を示す斜視図である。
【図３】（ａ）は、本発明の実施形態における給電端子とベースが一体化された構成を示す断面図である。（ｂ）は（ａ）に示す給電端子の斜視図である。
【図４】（ａ）〜（ｃ）は、本発明の実施形態における抜け防止部の働きを示す模式図である。
【図５】（ａ）〜（ｅ）は、本発明の実施形態における給電端子の抜け防止部形状の変形例を示した模式図である。
【図６】（ａ）〜（ｂ）は、本発明の他の実施形態における給電端子の構成を示す図である。
【図７】従来技術における給電端子とベースが一体化された構成を示す透明斜視図である。
【発明を実施するための形態】
【００１７】
以下、本発明をより理解しやすくするために、図面を参照して本発明の一部の実施形態について説明する。
【００１８】
レンズ駆動装置１は、例えばスマートフォンなどの電子機器に搭載されて焦点調整機能を実現するカメラ装置に用いられる。本発明の一つの実施形態によるレンズ駆動装置１は、図２に示すように、後側から前側に向けて順にベース１０、焦点調整ユニット２０、ハウジング３０を備えている。本明細書において、レンズ駆動装置１において、レンズ（図示しない）の光軸方向（図２の矢印の方向）に対し、ベース１０側を後側、ハウジング３０側を前側と称する。
【００１９】
ベース１０は、板状の四角形状であり、ハウジング３０とともに筐体を形成している。中央部には、レンズ（図示しない）からの光が通過するための、光軸方向に沿って貫通した貫通孔が形成されている。ベース１０の前側において、四つの角部にハウジング３０の固定に用いられる突出部１１が設けられている。ベース１０の後側において、隣接の二つの角部近傍には、給電端子１２、１２’が並んでベース１０から突出している。
【００２０】
本実施形態において、給電端子１２、１２’は、インサート成型（一体成型）によってベース１０に一体化されて固定される。例えば、ベース１０の成型用の樹脂成型金型に、金属製の給電端子１２、１２’を設置し、その後、成型金型にベース１０の基材となる樹脂を注入成型して、ベース１０と給電端子１２、１２’を一体化するとともにベース１０に給電端子１２、１２’を固定することができる。給電端子１２、１２’は、前側の半分がベース１０と接触してベース１０に一体化されており、後側の半分はベース１０から突出して露出されている。
【００２１】
次に給電端子１２について説明する。図３（ｂ）に示すように、給電端子１２は光軸方向の後方から前方に伸びる垂直部１２Ａと、垂直部１２Ａの前端から光軸と直交する方向に延びる水平部１２Ｂと、を有する。即ち、給電端子１２は一枚の板を９０度に折り曲げて、垂直部１２Ａと水平部１２Ｂとを形成したような形状である。水平部１２Ｂは図２に示すようにベース１０の前表面から露出している。垂直部１２Ａは図３（ａ）に示すようにベース１０から露出して回路基板に取り付けられる外部接続部１２Ｃと、ベース１０の内部にあってベース１０と接触している内部構造部１２Ｄと、を有する。図３（ａ）において、給電端子１２がある場所におけるベース１０の後端面１０Ａより後側が外部接続部１２Ｃで、後端面１０Ａよりも前側が内部構造部１２Ｄであり、内部構造部１２Ｄはベース１０の内部にあることになる。
【００２２】
図３（ａ）に示すように、給電端子１２の垂直部１２Ａの両側部は半円状に切り欠かれた側凹溝１２Ｅが形成されている。この側凹溝１２Ｅは後述するように抜け防止部として機能する。ベース１０の後端面１０Ａは側凹溝１２Ｅの半円形の中心よりも後側にある。即ち、給電端子１２は、垂直部１２Ａの後方から伸びる第一輪郭線１２Ｆが内側に伸びるように向きを変えた第二輪郭線１２Ｇの途中でベース１０の内部に入り込んでおり、さらにベース１０の内部でもこの第二輪郭線１２Ｇは延伸している。この第二輪郭線１２Ｇを含んで形成される面は前を向いた面１２Ｈであり、前を向いた面１２Ｈはベース１０の内部に少なくとも一部が設けられており、少なくとも一部は内部構造部１２Ｄである。給電端子１２’についても、同様の構造であり、抜け防止部として機能する側凹溝１２Ｅは垂直部の片側の側部に設けられている。給電端子１２と給電端子１２’とは、説明の便宜上同一のレンズ駆動装置１に設けてあるように説明したが、通常はどちらか一方の形状が採用される。
【００２３】
このように側凹溝１２Ｅの形成数については特に限定がない。また、側凹溝１２Ｅの形状についても後述される説明の条件を満たせば、特に限定がない。例えば、断面が半円形でも、三角形または四角形などでも構わない。
【００２４】
図２に示すように、焦点調整ユニット２０は、レンズ支持体２１を光軸方向に駆動させる駆動機構と、レンズ支持体２１と、レンズ支持体２１を光軸方向へ移動自在に支持する支持機構と、を有している。レンズ支持体２１は、略円筒形状であり、その内周部にレンズ（図示せず）を装着して支持するためのものである。駆動機構は、ハウジング３０の内面に固定される駆動磁石２４と、駆動磁石２４に対向してレンズ支持体２１に固定される駆動コイル２５と、を有する。支持機構は、金属で形成された前側スプリング２２と後側スプリング２３とを有する。本実施形態において、後側スプリング２３は左右に二分割され、それぞれベース１０側に固定されて給電端子１２の水平部１２Ｂに電気的に接続される外周側部と、レンズ支持体２１側に固定されて駆動コイル２５に電気的に接続される内周側部と、外周側部と内周側部とを連結する腕部と、を有する。
【００２５】
ハウジング３０は、レンズ焦点調整ユニット２０の前側に配置され、ベース１０に対応する箱状の形状を有し、中央部に被写体からレンズに入射する光が通過するための貫通孔が形成された一端と、開放されている他端とを有している。また、ハウジング３０は、ベース１０と組み合わされて内部が中空となるように構成されており、この中空部分にレンズ調整ユニット２０が配置される。ハウジング３０の他端の形状はベース１０の外周端の形状とほぼ同一であり、組み立てる際には、他端がベース１０の突出部１１と組み合わされて固着される。
【００２６】
以上のような構成のレンズ駆動装置１が外部電源に接続された回路基板（図示せず）に取り付けられる。電流は、外部電源から回路基板を経て、給電端子１２に流れ、二分割された一方の後側スプリング２３から駆動コイル２５に流れる。電流は、駆動コイル２５から他方の後側スプリング２３、給電端子１２’を経て、回路基板から外部電源に戻る。これによって、レンズ支持体２１を光軸方向に駆動させる駆動機構に給電し、電磁力の駆動力を発生させることによって焦点調整を行うことができる。
【００２７】
次に、抜け防止部について説明する。図４（ａ）に示すように、ベース１０の後端面１０Ａは、給電端子１２の垂直部１２Ａの第一輪郭線１２Ｆを横切るように設けられており、この前側が内部構造部１２Ｄ、後側が外部接続部１２Ｃである。第二輪郭線１２Ｇがベース１０の内部で内側に延伸しており、この部分に前を向いた面１２Ｈが形成されている。このような抜け防止部を有するレンズ駆動装置１の筐体を把持して回路基板に取り付ける。その際、給電端子１２は前側（紙面上側）から回路基板に当接すると、それ以上は動かないにもかかわらず、筐体の一部を構成するベース１０は更に後側（図の下側）へ動くような点線で示す後側に向いた力が加えられる。しかしながら、前を向いた面１２Ｈにおいて、実線の矢印で示す前側に向いた反作用力が発生するので、ベース１０はそれ以上後側へ移動しない。つまり、給電端子１２に抜けも発生しない。前後方向に延伸する面や後を向いた面ではそのような力は発生しない。
【００２８】
このような反作用力が発生すれば良いので、図４（ｂ）のように前を向いた面１２Ｈの全てがベース１０の内部になくても構わないし、図４（ｃ）のように、前を向いた面１２Ｈのごく一部がベース１０の内部にあるような構成であっても構わない。図４において、前を向いた面１２Ｈは斜め前を向いているように描いているが、真ん前を向いた面１２Ｈとしても構わない。
【００２９】
図５（ａ）〜（ｅ）は、本発明の実施形態による給電端子１２の形状の変形例を挙げて示した模式図である。図５（ａ）、（ｂ）、（ｃ）の左側、（ｄ）、（ｅ）の左側は図３（ａ）と同じ向きから給電端子１２を見た図であり、図５（ｃ）の右側と（ｅ）の右側は、その側方から見た図である。図示したように、給電端子１２の抜け防止部の形状は特に限定がない。給電端子１２の抜け防止部の形状は上を向いた面１２Ｈを有する。各図の点線で示すベース１０の後端面１０Ａは、抜け防止部全体がベース１０の内部にあることを示しており、図５（ｄ）を除く各図の実線で示す後端面１０Ａは、抜け防止部（前を向いた面１２Ｈ）の一部がベース１０の内部にあることを示している。
【００３０】
例えば、図５（ａ）のように、給電端子１２の側壁から突出して形成された凸起であってもよい。前を向いた面１２Ｈは凸起の前部に形成されており、抜け防止部の少なくとも一部がベース１０の内部に形成されていることによって効果を奏する。また、図５（ｂ）のように、給電端子１２の幅が前側に向かって狭くなるような傾斜面を有していてもよい。また、図５（ｃ）に示すように、側方から見たときに前を向いた面１２Ｈを有するように設けてもよい。また、図５（ｄ）は最初に図３において示した側凹溝１２Ｅと同様の側凹溝であるが、前を向いた面１２Ｈは真ん前を向いているとともに抜け防止部の後端部に形成されることになるので、この場合、抜け防止部全体がベース１０の内部に設けられる。また、図５（ｅ）のように、給電端子１２の垂直部１２Ａに形成された貫通孔を抜け防止部としてもよい。これにより、成型金型に注入したベース１０の基材となる樹脂が、貫通孔に注入されて、給電端子１２の表側の樹脂と裏側の樹脂が貫通孔で繋がっているので、ベース１０と給電端子１２の固着をより強固にすることができる。
【００３１】
次に、本発明の他の実施形態による給電端子１２の形状について説明する。図６（ａ）、（ｂ）に示すように、給電端子１２は、垂直部１２Ａと水平部１２Ｂとを有し、更に水平部１２Ｂは、垂直部１２Ａとは接続していない部分から斜め後方に伸びてベース１０と接触している傾斜部１２Ｉを有している。抜け防止部はこの傾斜部１２Ｉに設けられた前を向いた面１２Ｊである。前を向いた面１２Ｈと同様にこの前を向いた面１２Ｊによって給電端子１２はベース１０から抜けにくい。図６に示す例では、傾斜部１２Ｉは水平部１２Ｂを間に挟んで垂直部１２Ａとは反対側に設けたが、すぐ隣接して設けても構わない。また、図６に示す例では、傾斜部１２Ｉは水平部１２Ｂからまっすぐ斜め後方に延伸するように設けられているが、例えば、水平部１２Ｂから垂直に後方に延伸し、更に水平方向に延伸するように設けられてもよい。
【００３２】
また、図６に示すように、傾斜部１２Ｉの前を向いた面１２Ｊと垂直部１２Ａの前を向いた面１２Ｈの両方を設けてもよい。両者の相乗効果によって、より抜けが発生しにくい構成を実現することができる。
【００３３】
このように、本発明の好ましい実施形態を詳細に説明したが、その目的は、当業者が、本発明の内容を理解した上で実施できるようにするためである。もちろん、本発明の保護範囲は、上記実施形態、実施例に限定されず、本発明の趣旨に基づいて変更または改善することができ、いずれも本発明の保護範囲に含まれる。
【符号の説明】
【００３４】
１    レンズ駆動装置
１０    ベース
１０Ａ    後端面
１２、１２’    給電端子
１２Ａ    垂直部
１２Ｂ    水平部
１２Ｃ    外部接続部
１２Ｄ    内部構造部
１２Ｅ    側凹溝
１２Ｆ    第一輪郭線
１２Ｇ    第二輪郭線
１２Ｈ、１２Ｊ    前を向いた面
１２Ｉ    傾斜部
２０    レンズ焦点調整ユニット
２１    レンズ支持体
２２    前側スプリング
２３    後側スプリング
２４    駆動磁石
２５    駆動コイル
３０    ハウジング
【図１】
2019105831.tif 000003
【図２】
2019105831.tif 000004
【図３】
2019105831.tif 000005
【図４】
2019105831.tif 000006
【図５】
2019105831.tif 000007
【図６】
2019105831.tif 000008
【図７】
2019105831.tif 000009